(57)【要約】      （修正有）【課題】分散アンテナシステムで効率的な通信のための干渉測定方法及び装置を提供する。【解決手段】分散アンテナシステムで端末の干渉測定によるチャンネル状態情報の送信方法は、複数個の送信地点に対して干渉を測定することができるリソースであるＩＭＲ（Ｉｎｔｅｒｆｅｒｅｎｃｅ  Ｍｅａｓｕｒｅｍｅｎｔ  Ｒｅｓｏｕｒｃｅ）が設定される段階と、ＰＤＳＣＨ（Ｐｈｙｓｉｃａｌ  Ｄｏｗｎｌｉｎｋ  Ｓｈａｒｅｄ  Ｃｈａｎｎｅｌ）に対するスケジューリング情報を含む制御情報を受信する段階と、ＩＭＲを用いた干渉測定とＰＤＳＣＨ受信が同じサブフレームで行われるか否かを判定する段階と、判定結果によってチャンネル状態情報を生成して送信する段階と、を含む。【選択図】図８
2018129807.tif 000002
【特許請求の範囲】
【請求項１】
無線ネットワークシステムにおける端末の干渉測定をサポートする送受信機の方法であって、
他の送受信機に対する干渉測定リソース（ＩＭＲ；Ｉｎｔｅｒｆｅｒｅｎｃｅ  Ｍｅａｓｕｒｅｍｅｎｔ  Ｒｅｓｏｕｒｃｅ）に関する情報を識別する段階と、
前記送受信機に対するＰＤＳＣＨが前記他の送受信機に対する前記ＩＭＲに対応するリソース内に存在しなければ、干渉信号を生成する段階と、
前記他の送受信機に対する前記ＩＭＲに対応する前記リソース上に前記干渉信号を前記端末に送信する段階と、を含むことを特徴とする方法。
【請求項２】
前記干渉測定は、前記ＩＭＲに基づいて前記端末によって実行されることを特徴とする、請求項１記載の方法。
【請求項３】
前記干渉測定に基づいて前記端末からチャンネル状態情報が送信される段階を更に含むことを特徴とする、請求項１に記載の方法。
【請求項４】
無線ネットワークシステムにおける端末の干渉測定をサポートする送受信機であって、
信号を送信する送信機と、
他の送受信機に対する干渉測定リソース（ＩＭＲ；Ｉｎｔｅｒｆｅｒｅｎｃｅ  Ｍｅａｓｕｒｅｍｅｎｔ  Ｒｅｓｏｕｒｃｅ）に関する情報を識別し、前記送受信機に対するＰＤＳＣＨが前記他の送受信機に対する前記ＩＭＲに対応するリソース内に存在しなければ干渉信号を生成し、前記他の送受信機に対する前記ＩＭＲに対応する前記リソース上に前記干渉信号を前記端末に送信するように前記送信機を制御する制御部と、を含むことを特徴とする、基地局。
【請求項５】
前記干渉測定は、前記ＩＭＲに基づいて前記端末によって実行されることを特徴とする、請求項４に記載の基地局。
【請求項６】
前記干渉測定に基づいて前記端末からチャンネル状態情報が送信されることを特徴とする、請求項４に記載の基地局。
【請求項７】
無線ネットワークシステムにおける端末の干渉測定方法であって、
干渉を測定することができるリソースであるＩＭＲ（Ｉｎｔｅｒｆｅｒｅｎｃｅ  Ｍｅａｓｕｒｅｍｅｎｔ  Ｒｅｓｏｕｒｃｅ）に対する設定情報を第１の送受信機から受信する段階と、
第２の送受信機から信号を受信する段階と、
前記ＩＭＲに基づいて干渉測定を行う段階と、
前記干渉測定に基づいてチャンネル状態情報を送信する段階と、を含み、
前記第２の送受信機に対するＰＤＳＣＨ（Ｐｈｙｓｉｃａｌ  Ｄｏｗｎｌｉｎｋ  Ｓｈａｒｅｄ  Ｃｈａｎｎｅｌ）が前記ＩＭＲに対応するリソース内に存在しなければ、干渉信号を生成し、前記干渉信号は、前記リソース上に前記第２の送受信機から送信されることを特徴とする、方法。
【請求項８】
ＣＳＩ-ＲＳ（Ｃｈａｎｎｅｌ  Ｓｔａｔｕｓ  Ｉｎｆｏｒｍａｔｉｏｎ  Ｒｅｆｅｒｅｎｃｅ  Ｓｉｇｎａｌ）に関する第１の送受信機の設定情報を受信する段階と、
前記ＣＳＩ−ＲＳに基づいてチャンネル状態測定を行う段階と、を更に含み、
前記チャンネル状態情報は、前記干渉測定及び前記チャンネル状態測定に基づいて送信されることを特徴とする、請求項７に記載の方法。
【請求項９】
無線ネットワークシステムにおける干渉測定のための端末であって、
信号を送信及び受信する送受信機と、
干渉を測定することができるリソースであるＩＭＲ（Ｉｎｔｅｒｆｅｒｅｎｃｅ  Ｍｅａｓｕｒｅｍｅｎｔ  Ｒｅｓｏｕｒｃｅ）に対する設定情報を、第１の送受信機から受信するように前記送受信機を制御し、第２の送受信機から信号を受信するように前記送受信機を制御し、前記ＩＭＲに基づいて干渉測定を行い、前記干渉測定に基づいてチャンネル状態情報を送信するように前記送受信機を制御する制御部と、を含み、
前記第２の送受信機に対するＰＤＳＣＨ（Ｐｈｙｓｉｃａｌ  Ｄｏｗｎｌｉｎｋ  Ｓｈａｒｅｄ  Ｃｈａｎｎｅｌ）が前記ＩＭＲに対応するリソース内に存在しなければ、干渉信号を生成し、前記干渉信号は、前記リソース上に前記第２の送受信機から送信されることを特徴とする、端末。
【請求項１０】
前記制御部は、更に、ＣＳＩ-ＲＳ（Ｃｈａｎｎｅｌ  Ｓｔａｔｕｓ  Ｉｎｆｏｒｍａｔｉｏｎ  Ｒｅｆｅｒｅｎｃｅ  Ｓｉｇｎａｌ）に関する第１の送受信機の設定情報を受信するように前記送受信機を制御し、前記ＣＳＩ−ＲＳに基づいてチャンネル状態測定を行い、
前記チャンネル状態情報は、前記干渉測定及び前記チャンネル状態測定に基づいて送信されることを特徴とする、請求項９に記載の端末。
【発明の詳細な説明】
【技術分野】
【０００１】
本発明は、分散アンテナシステム（Ｄｉｓｔｒｉｂｕｔｅｄ  Ａｎｔｅｎｎａ  Ｓｙｓｔｅｍ、ＤＡＳ）で干渉測定方法及び装置に関する。
【背景技術】
【０００２】
移動通信システムは、初期の音声中心のサービスの提供から脱してデータサービス及びマルチメディアサービス提供のために高速、ハイクオリティーの無線パケットデータ通信システムに発展しつつある。近年、３ＧＰＰのＨＳＤＰＡ（Ｈｉｇｈ  Ｓｐｅｅｄ  Ｄｏｗｎｌｉｎｋ  Ｐａｃｋｅｔ  Ａｃｃｅｓｓ）、ＨＳＵＰＡ（Ｈｉｇｈ  Ｓｐｅｅｄ  Ｕｐｌｉｎｋ  Ｐａｃｋｅｔ  Ａｃｃｅｓｓ）、ＬＴＥ  （Ｌｏｎｇ  Ｔｅｒｍ  Ｅｖｏｌｕｔｉｏｎ）、ＬＴＥ−Ａ  （Ｌｏｎｇ  Ｔｅｒｍ  Ｅｖｏｌｕｔｉｏｎ  Ａｄｖａｎｃｅｄ）、３ＧＰＰ２のＨＲＰＤ（Ｈｉｇｈ  Ｒａｔｅ  Ｐａｃｋｅｔ  Ｄａｔａ）、及びＩＥＥＥの８０２．１６等の多様な移動通信標準が高速、ハイクオリティーの無線パケットデータ送信サービスをサポートするために開発された。特に、ＬＴＥシステムは高速無線パケットデータ送信を効率的にサポートするために開発されたシステムで多様な無線接続技術を活用して無線システム容量を最大化する。ＬＴＥ−ＡシステムはＬＴＥシステムの進歩された無線システムでＬＴＥと比べて向上したデータ送信能力を持っている。
【０００３】
ＬＴＥは、一般的に３ＧＰＰ標準団体のＲｅｌｅａｓｅ８または９に該当する基地局及び端末装備を意味し、ＬＴＥ−Ａは３ＧＰＰ標準団体のＲｅｌｅａｓｅ１０に該当する基地局及び端末装備を意味する。３ＧＰＰ標準団体ではＬＴＥ−Ａシステムの標準化の以後にもこれに基づいて向上した性能を持つ後続Ｒｅｌｅａｓｅに対する標準化を進行している。
【０００４】
ＨＳＤＰＡ、ＨＳＵＰＡ、ＨＲＰＤ、ＬＴＥ／ＬＴＥ−Ａなどの現存する３世代及び４世代無線パケットデータ通信システムは、送信効率を改善するために適応変調及び符号（Ａｄａｐｔｉｖｅ  Ｍｏｄｕｌａｔｉｏｎ  ａｎｄ  Ｃｏｄｉｎｇ、以下、ＡＭＣ）方法とチャンネル感応スケジューリング方法などの技術を用いる。ＡＭＣ方法を活用すれば送信機はチャンネル状態により送信するデータの量を調節することができる。即ち、チャンネル状態が良くなければ、送信するデータの量を減らして受信エラー確率を望む水準に合わせ、チャンネル状態が良ければ、送信するデータの量を増やして受信エラー確率を望む水準に合わせると共に多くの情報を効果的に送信することができる。チャンネル感応スケジューリングリソース管理方法を活用すれば、送信機は多数のユーザのうちでチャンネル状態が優れたユーザを選択的にサービスするので、一人のユーザにチャンネルを割り当てサービスすることに比べてシステム容量が増加する。このような容量増加を、いわゆるマルチユーザダイバーシティ（ｍｕｌｔｉ−ｕｓｅｒ  ｄｉｖｅｒｓｉｔｙ）利得と言う。要するにＡＭＣ方法とチャンネル感応スケジューリング方法は、受信機から部分的なチャンネル状態情報がフィードバック（ｆｅｅｄｂａｃｋ）されて最も効率的と判定される時点に適切の変調及び符号技法を適用する方法である。
【０００５】
ＡＭＣ方法は、ＭＩＭＯ（ｍｕｌｔｉｐｌｅ  ｉｎｐｕｔ  ｍｕｌｔｉｐｌｅ  ｏｕｔｐｕｔ）送信方式と共に用いられる場合、送信される信号の空間階層（ｓｐａｔｉａｌ  ｌａｙｅｒ）の個数又はランク（ｒａｎｋ）を決定する機能も含むことができる。この場合、ＡＭＣ方法は最適のデータレート（ｄａｔａ  ｒａｔｅ）を決定するのに単純に符号化率と変調方式のみを考えずＭＩＭＯを用いて幾つかのレイヤー（ｌａｙｅｒ）に送信するか否かも考慮するようになる。
【０００６】
近年、２世代と３世代移動通信システムで用いられた多重接続方式であるＣＤＭＡ（Ｃｏｄｅ  Ｄｉｖｉｓｉｏｎ  Ｍｕｌｔｉｐｌｅ  Ａｃｃｅｓｓ）を次世代システムからＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）に転換しようとする研究が活発に進行されている。３ＧＰＰと３ＧＰＰ２はＯＦＤＭＡを用いる進化システムに関する標準化を進行し始めた。ＣＤＭＡ方式に比べてＯＦＤＭＡ方式で容量増大を期待することができると知られている。ＯＦＤＭＡ方式で容量増大を生じる様々の原因うちの一つが周波数軸上でのスケジューリング（Ｆｒｅｑｕｅｎｃｙ  Ｄｏｍａｉｎ  Ｓｃｈｅｄｕｌｉｎｇ）を行うことができるということである。チャンネルが時間により変わる特性に応じてチャンネル感応スケジューリング方法を通じて容量利得を得たようにチャンネルが周波数によって他の特性を活用すれば、より多い容量利得を得ることができる。
【０００７】
図１は、ＬＴＥ／ＬＴＥ−Ａシステムで時間及び周波数リソースを示したものである。
【０００８】
図１に示されたように、ｅＮＢ端末に送信する無線リソースは周波数軸上ではＲＢ（Ｒｅｓｏｕｒｃｅ  Ｂｌｏｃｋ）単位に分けられ、時間軸上ではサブフレーム（ｓｕｂｆｒａｍｅ）単位に分けられる。ＲＢはＬＴＥ／ＬＴＥ−Ａシステムで一般的に１２個のサブキャリアからなり、１８０ｋＨｚの帯域を占める。
【０００９】
一方、サブフレームはＬＴＥ／ＬＴＥ−Ａシステムで一般的に１４個のＯＦＤＭシンボル区間からなり、１ｍｓｅｃの時間区間を占める。ＬＴＥ／ＬＴＥ−Ａシステムはスケジューリングを行うにおいて時間軸ではサブフレーム単位でリソースを割り当てることができ、周波軸ではＲＢ単位でリソースを割り当てることができる。
【００１０】
図２は、ＬＴＥ／ＬＴＥ−Ａシステムでダウンリンクでスケジューリングできる最小単位である１サブフレーム及び１ＲＢの無線リソースを示したものである。
【００１１】
図２に示された無線リソースは時間軸上で一つのサブフレームからなり、周波収縮上で一つのＲＢからなる。このような無線リソースは周波数領域で１２個のサブキャリア（ｓｕｂｃａｒｒｉｅｒ）からなり、時間領域で１４個のＯＦＤＭシンボルからなり、総１６８個の固有周波数及び時間位置を持つようにする。ＬＴＥ／ＬＴＥ−Ａでは図２に示されるそれぞれの固有周波数及び時間位置をＲＥ（ｒｅｓｏｕｒｃｅ  ｅｌｅｍｅｎｔ）という。
【００１２】
図２に示された無線リソースには次のような複数個の互いに異なる種類の信号が送信されることができる。
−ＣＲＳ（Ｃｅｌｌ  Ｓｐｅｃｉｆｉｃ  ＲＳ）：一つのｃｅｌｌに属した全ての端末のために送信される基準信号
−ＤＭＲＳ（Ｄｅｍｏｄｕｌａｔｉｏｎ  Ｒｅｆｅｒｅｎｃｅ  Ｓｉｇｎａｌ）：特定端末のために送信される基準信号
−ＰＤＳＣＨ（Ｐｈｙｓｉｃａｌ  Ｄｏｗｎｌｉｎｋ  Ｓｈａｒｅｄ  Ｃｈａｎｎｅｌ）：ダウンリンクに送信されるデータチャンネルで基地局が端末にトラフィックを送信するために用い、図２に示されるデータ領域で基準信号が送信されないＲＥを用いて送信される。
−ＣＳＩ−ＲＳ（Ｃｈａｎｎｅｌ  Ｓｔａｔｕｓ  Ｉｎｆｏｒｍａｔｉｏｎ  Ｒｅｆｅｒｅｎｃｅ  Ｓｉｇｎａｌ）：一つのセル（ｃｅｌｌ）に属した端末のために送信される基準信号をチャンネル状態を測定するのに用いられる。一つのｃｅｌｌには複数個のＣＳＩ−ＲＳが送信されることができる。
−その他、制御チャンネル（ＰＨＩＣＨ、ＰＣＦＩＣＨ、ＰＤＣＣＨ）：端末がＰＤＳＣＨを受信するのに必要な制御情報を提供したり、アップリンクのデータ送信に対するＨＡＲＱを操作するためのＡＣＫ／ＮＡＣＫ送信
【００１３】
前述した信号の外にＬＴＥ−Ａシステムでは他の基地局の送信するＣＳＩ−ＲＳが当該セルの端末に干渉なしに受信されることができるようにミューティング（ｍｕｔｉｎｇ）を設定することができる。ミューティング（ｍｕｔｉｎｇ）はＣＳＩ−ＲＳが送信されることができる位置で適用されることができ、一般的に端末は当該無線リソースをスキッピングしてトラフィック信号を受信する。ＬＴＥ−Ａシステムでミューティングは他の用語でｚｅｒｏ−ｐｏｗｅｒ  ＣＳＩ−ＲＳと呼ばれたりする。ミューティングの特性上、ＣＳＩ−ＲＳの位置に適用されて送信電力が送信されないからである。
【００１４】
図２でＣＳＩ−ＲＳはＣＳＩ−ＲＳを送信するアンテナ数に応じてＡ、Ｂ、Ｃ、Ｄ、Ｅ、Ｅ、Ｆ、Ｇ、Ｈ、Ｉ、Ｊと表示された位置の一部を用いて送信されることができる。さらに、ミューティングもＡ、Ｂ、Ｃ、Ｄ、Ｅ、Ｅ、Ｆ、Ｇ、Ｈ、Ｉ、Ｊと表示された位置の一部に適用されることができる。特に、ＣＳＩ−ＲＳは送信するアンテナフォト数に応じて２個、４個、８個のＲＥに送信されることができる。アンテナポート数が２個である場合、図２で示される特定パターンの半分にＣＳＩ−ＲＳが送信され、アンテナポート数が４個である場合、特定パターンの全体にＣＳＩ−ＲＳが送信され、アンテナポート数が８個である場合、２つのパターンを用いてＣＳＩ−ＲＳが送信される。一方、ミューティングの場合、常に一つのパターン単位からなる。即ち、ミューティングは複数個のパターンに適用されることはできるがＣＳＩ−ＲＳと位置が重ならない場合、一つのパターンの一部だけで適用されることはできない。ただ、ＣＳＩ−ＲＳの位置とミューティングの位置が重なる場合に限って一つのパターンの一部だけで適用されることができる。
【００１５】
セルラーシステムでダウンリンクチャンネル状態を測定するために基準信号（ｒｅｆｅｒｅｎｃｅ  ｓｉｇｎａｌ）を送信しなければならない。３ＧＰＰのＬＴＥ−Ａシステムの場合、基地局が送信するＣＳＩ−ＲＳを用いて端末は基地局と自分の間のチャンネル状態を測定する。チャンネル状態は基本的に幾つかの要素を考慮すべきであり、ここにはダウンリンクでの干渉量が含まれる。ダウンリンクでの干渉量は隣接基地局に属したアンテナにより発生される干渉信号及び熱雑音等が含まれて端末がダウンリンクのチャンネル状況を判定するのに重要である。一例として、送信アンテナが一個である基地局で受信アンテナが一つの端末で送信する場合、端末は基地局で受信された基準信号でダウンリンクに受信することができるシンボル当たりエネルギーと、該シンボルを受信する区間で同時に受信される干渉量を判定してＥｓ／Ｉｏを決定しなければならない。決定されたＥｓ／Ｉｏは基地局に通報されて基地局がダウンリンクで端末にどんなデータ伝送速度で送信を行うかを判定することができるようにする。
【００１６】
一般的に、セルラー無線移動通信システムは限定された地域に複数個のセルを構築することによってなる。そして各セルには当該セル内での移動通信を専担する基地局装備がセル領域のうちに位置し、当該基地局装備は限定された場所に位置した一つまたは複数個のアンテナを用いて端末と移動通信を行う。このように１個のセルに属したアンテナが同じ位置に配置された移動通信システムをＣＡＳ（Ｃｅｎｔｒａｌｉｚｅｄ  Ａｎｔｅｎｎａ  Ｓｙｓｔｅｍ）という。一方、一つのセルに属したアンテナ（ＲＲＨ：Ｒｅｍｏｔｅ  Ｒａｄｉｏ  Ｈｅａｄ）がセル内の分散した位置に配置された移動通信システムをＤＡＳ（Ｄｉｓｔｒｉｂｕｔｅｄ  Ａｎｔｅｎｎａ  Ｓｙｓｔｅｍ：分散アンテナシステム）という。
【００１７】
図３は、一般的な分散アンテナシステムでアンテナの分散した位置への配置を示したものである。
【００１８】
図３に示されたように、２つのセル３００、３１０からなる分散アンテナシステムに該当する。セル３００の場合、一つの高出力アンテナ３２０と４個の低出力アンテナ３４１、３４２、３４３、３４４からなる。高出力アンテナ３２０は、セル領域に含まれる全域に最小限のサービスを提供するようにする一方、低出力アンテナはセル内の制限された領域で制限された端末に高いデータ速度に基づくサービスを提供することができる。さらに、低出力アンテナ３４１、３４２、３４３、３４４及び高出力アンテナ３２０は全て中央制御機に接続されて中央制御機のスケジューリング及び無線リソース割り当てによって動作する。分散アンテナシステムでそれぞれ地理的に分離したアンテナ位置には一つまたは複数個のアンテナが配置されることができる。分散アンテナシステムで同じ位置に配置されたアンテナまたはアンテナを本発明ではアンテナグループ（ＲＲＨ  ｇｒｏｕｐ）と言う。
【００１９】
図３のような分散アンテナシステムで端末は一つの地理的に分離したアンテナグループで信号を受信する一方、残りアンテナグループから送信されることは干渉として作用する。
【００２０】
図４は、分散アンテナシステムで各アンテナグループ別で互いに異なる端末に送信を行う場合、干渉現象が発生する例を示したものである。
【００２１】
図４で端末ＵＥ１（ＵＥ：Ｕｓｅｒ  Ｅｑｕｉｐｍｅｎｔ、４００）はアンテナグループ４１０でトラフィック信号を受信している。一方、ＵＥ２（４２０）はアンテナグループ４３０で、ＵＥ３（４４０）はアンテナグループ４５０で、ＵＥ４（４６０）はアンテナグループ４７０でトラフィック信号を受信している。ＵＥ１（４００）がアンテナグループ４１０でトラフィック信号を受信する同時に他の端末にトラフィック信号を送信している他のアンテナグループから干渉を受けるようになる。即ち、アンテナグループ４３０、４５０、４７０から送信される信号がＵＥ１（４００）に干渉効果を発生させる。
【００２２】
一般的に、分散アンテナシステムで他のアンテナグループによる干渉発生には次のように２つの種類がある。
−インターセル干渉（Ｉｎｔｅｒ−ｃｅｌｌ  ｉｎｔｅｒｆｅｒｅｎｃｅ）：他のセルのアンテナグループで発生される干渉
−イントラセル干渉（Ｉｎｔｒａ−ｃｅｌｌ  ｉｎｔｅｒｆｅｒｅｎｃｅ）：同じセルのアンテナグループで発生される干渉
【００２３】
図４のＵＥ１（４００）がイントラセル干渉では同じセルに属したアンテナグループ４３０で発生される干渉がある一方、インターセル干渉では隣接セルのアンテナグループ４５０、４７０で発生される干渉がある。インターセル干渉とイントラセル干渉は端末に同時に影響を及ぼして端末のデータチャンネル受信を邪魔することができる。
【００２４】
分散アンテナシステムの端末がダウンリンクを用いて最適のデータ伝送速度で信号を受信するためには自分に干渉を発生させるインターセル干渉及びイントラセル干渉を正確に測定し、これを受信された信号の強度と比べた結果によりデータ伝送速度を基地局に要請しなければならない。
【００２５】
分散アンテナシステムではない一般的な中央配置型アンテナシステムの場合、各セル別に一つのアンテナグループだけが存在する。このような場合、図４のように同じセル内の互いに異なるアンテナグループ間の発生するイントラセル干渉は発生されず、ただ互いに異なるセルで発生されるインターセル干渉だけ発生される。ＬＴＥ／ＬＴＥ−Ａシステムが中央配置型アンテナシステムから構成される場合、図２で言及されたＣＲＳを用いてインターセル干渉を測定することができる。一般的に、中央配置型アンテナシステムで端末はＣＲＳを受信した後、周波数領域で周期的な特性を持つこの信号ＩＦＦＴ（Ｉｎｖｅｒｓｅ  Ｆａｓｔ  Ｆｏｕｒｉｅｒ  Ｔｒａｎｓｆｏｒｍ）を用いてディレードメイン（ｄｅｌａｙ  ｄｏｍａｉｎ）信号に変換する。
【００２６】
図５は、ＣＲＳがディレードメイン（ｄｅｌａｙ  ｄｏｍａｉｎ）信号に変換された例を示したものである。
【００２７】
ＬＴＥ／ＬＴＥ−ＡシステムでディレードメインにＩＦＦＴさせると、図５のように遅延が大きくなるほど遅延要素（ｄｅｌａｙ  ｃｏｍｐｏｎｅｎｔ）に運ぶエネルギーは減少する傾向を持つチャンネルインパルス応答（ｃｈａｎｎｅｌ  ｉｍｐｕｌｓｅ  ｒｅｓｐｏｎｓｅ）を得ることができる。一般的に、図５のようにＩＦＦＴを行った後、得られる信号で後部に該当する部分は相対的に他のセルで発生される干渉に該当する一方、前部に該当する部分はＣＲＳの実際信号成分に該当する。このような後部に位置した干渉の大きさを測定することによって端末は自分の信号対雑音比を計算することができるようになる。このような干渉測定は互いに異なるセルで同じＣＲＳを送信しないから可能である。互いに異なるセルは互いに異なる周波数時間リソースを用いてＣＲＳを送信することができ、セルごとにＣＲＳが固有のスクランブリング（ｓｃｒａｍｂｌｉｎｇ）が適用されるから、そういう干渉測定方式が可能である。ＬＴＥ／ＬＴＥ−Ａの場合、ＣＲＳのスクランブリングは当該セルのセルＩＤ（Ｃｅｌｌ  ＩＤ）によって決定される。
【００２８】
一方、ＬＴＥ／ＬＴＥ−Ａでの分散アンテナシステムの場合、同じセルに存在するすべてのアンテナグループは同じ位置でＣＲＳを送信するようになり、アンテナグループごとに固有のスクランブリングをＣＲＳに適用することもできない。このように同じセルに属したアンテナグループが固有のＣＲＳを送信することができない場合、隣接セルのアンテナグループによるインターセル干渉は測定することができるが、同じセルに属した他のアンテナグループによるイントラセル干渉は測定することができなくなる。
【先行技術文献】
【特許文献】
【００２９】
【特許文献１】米国特許出願公開第２０１２／０１５５２９１号明細書
【特許文献２】国際公開第２０１２／１０９０３７号
【非特許文献】
【００３０】
【非特許文献１】Samsung，Interference Measurement Resource for DL CoMP[online]，  3GPP TSG-RAN WG1#68    R1-120171，インターネット＜URL:http://www.3gpp.org/ftp/tsg_ran/WG1_RL1/TSGR1_68/Docs/R1-120171.zip＞，２０１２年  ２月
【非特許文献２】Huawei, HiSilicon，Interference measurement resource configuration and CQI calculation[online]，  3GPP TSG-RAN WG1#69    R1-121947，インターネット＜URL:http://www.3gpp.org/ftp/tsg_ran/WG1_RL1/TSGR1_69/Docs/R1-121947.zip＞，２０１２年  ５月
【非特許文献３】CATT，Remaining issues on interference measurement[online]，  3GPP TSG-RAN WG1#70    R1-123213，インターネット＜URL:http://www.3gpp.org/ftp/tsg_ran/WG1_RL1/TSGR1_70/Docs/R1-123213.zip＞，２０１２年  ８月
【非特許文献４】InterDigital Communications, LLC，Interference Measurements for CoMP[online]，  3GPP TSG-RAN WG1#69    R1-122549，インターネット＜URL:http://www.3gpp.org/ftp/tsg_ran/WG1_RL1/TSGR1_69/Docs/R1-122549.zip＞，２０１２年５月
【非特許文献５】ZTE，Evaluation and discussion on interference measurement[online]，  3GPP TSG-RAN WG1#68b    R1-121043，インターネット＜URL:http://www.3gpp.org/ftp/tsg_ran/WG1_RL1/TSGR1_68b/Docs/R1-121043.zip＞，２０１２年  ３月
【発明の概要】
【発明が解決しようとする課題】
【００３１】
図５を参照して前述した言及した方法を用いて干渉測定を説明すると、端末は他のセルのアンテナグループで発生される干渉だけ測定するだけ、同じセルに属した他のアンテナグループで発生される干渉を測定することができなくなり、不正確な信号対干渉比を計算するようになる。このような不正確な信号対干渉比は、ダウンリンクのデータ伝送速度を信号対干渉比によって適応的に変化させるＡＭＣ方法を用いるＬＴＥ／ＬＴＥ−Ａシステムに相当な性能低下をもたらすという問題点がある。
【課題を解決するための手段】
【００３２】
本発明は、前記のような問題点を解決するために干渉測定方法及び装置を提供することを目的とする。
【００３３】
前述したように、ＤＡＳに基づいた通信システムで効率的にダウンリンクデータレートを決定するために、端末はインターセル内の干渉だけではなくイントラセルの間の干渉を測定すべきである。これを達成するために、本発明は、ＣＳＩ−ＲＳに基づいて干渉を測定するための方法を提供する。
【００３４】
本発明は、分散アンテナシステムで効率的な通信のための干渉測定方法及び装置を提供する。
【００３５】
前記のような問題点を解決するための本発明の一実施形態による分散アンテナシステム（Ｄｉｓｔｒｉｂｕｔｅｄ  Ａｎｔｅｎｎａ  Ｓｙｓｔｅｍ、ＤＡＳ）で端末の干渉測定によるチャンネル状態情報の送信方法は、複数個の送信地点（Ｔｒａｎｓｍｉｓｓｉｏｎ  Ｐｏｉｎｔ、ＴＰ）に対して干渉を測定することができるリソースであるＩＭＲ（Ｉｎｔｅｒｆｅｒｅｎｃｅ  Ｍｅａｓｕｒｅｍｅｎｔ  Ｒｅｓｏｕｒｃｅ）が設定される段階と、ＰＤＳＣＨ（Ｐｈｙｓｉｃａｌ  Ｄｏｗｎｌｉｎｋ  Ｓｈａｒｅｄ  Ｃｈａｎｎｅｌ）に対するスケジューリング情報を含む制御情報を受信する段階と、ＩＭＲを用いた干渉測定とＰＤＳＣＨ受信が同じサブフレームで行われるか否かを判定する段階と、及び判定結果によってチャンネル状態情報を生成して送信する段階と、を含むことを特徴とする。
【００３６】
また、本発明の他の実施形態による分散アンテナシステム（Ｄｉｓｔｒｉｂｕｔｅｄ  Ａｎｔｅｎｎａ  Ｓｙｓｔｅｍ、ＤＡＳ）で基地局のチャンネル状態情報生成過程の仮定方法は、複数個の送信地点（Ｔｒａｎｓｍｉｓｓｉｏｎ  Ｐｏｉｎｔ、ＴＰ）に対して干渉を測定することができるリソースであるＩＭＲ（Ｉｎｔｅｒｆｅｒｅｎｃｅ  Ｍｅａｓｕｒｅｍｅｎｔ  Ｒｅｓｏｕｒｃｅ）を設定する段階と、ＰＤＳＣＨ（Ｐｈｙｓｉｃａｌ  Ｄｏｗｎｌｉｎｋ  Ｓｈａｒｅｄ  Ｃｈａｎｎｅｌ）に対するスケジューリング情報を含む制御情報を送信する段階と、ＩＭＲを用いた干渉測定とＰＤＳＣＨ受信が同じサブフレームで行われるか否かを判定する段階と、及び判定結果によってチャンネル状態情報生成過程を仮定する段階と、を含むことを特徴とする。
【００３７】
また、本発明のまた他の実施形態による分散アンテナシステム（Ｄｉｓｔｒｉｂｕｔｅｄ  Ａｎｔｅｎｎａ  Ｓｙｓｔｅｍ、ＤＡＳ）で端末の干渉測定によるチャンネル状態情報の送信装置は、複数個の送信地点（Ｔｒａｎｓｍｉｓｓｉｏｎ  Ｐｏｉｎｔ、ＴＰ）に対して干渉を測定することができるリソースであるＩＭＲ（Ｉｎｔｅｒｆｅｒｅｎｃｅ  Ｍｅａｓｕｒｅｍｅｎｔ  Ｒｅｓｏｕｒｃｅ）が設定され、ＰＤＳＣＨ（Ｐｈｙｓｉｃａｌ  Ｄｏｗｎｌｉｎｋ  Ｓｈａｒｅｄ  Ｃｈａｎｎｅｌ）に対するスケジューリング情報を含む制御情報を受信し、ＩＭＲを用いた干渉測定とＰＤＳＣＨ受信が同じサブフレームで行われるか否かを判定し、判定結果によってチャンネル状態情報を生成して送信するように制御する制御部を含むことを特徴とする。
【００３８】
また、本発明のまた他の実施形態による分散アンテナシステム（Ｄｉｓｔｒｉｂｕｔｅｄ  Ａｎｔｅｎｎａ  Ｓｙｓｔｅｍ、ＤＡＳ）で基地局のチャンネル状態情報生成過程の仮定装置は、複数個の送信地点（Ｔｒａｎｓｍｉｓｓｉｏｎ  Ｐｏｉｎｔ、ＴＰ）に対して干渉を測定することができるリソースであるＩＭＲ（Ｉｎｔｅｒｆｅｒｅｎｃｅ  Ｍｅａｓｕｒｅｍｅｎｔ  Ｒｅｓｏｕｒｃｅ）を設定し、ＰＤＳＣＨ（Ｐｈｙｓｉｃａｌ  Ｄｏｗｎｌｉｎｋ  Ｓｈａｒｅｄ  Ｃｈａｎｎｅｌ）に対するスケジューリング情報を含む制御情報を送信し、ＩＭＲを用いた干渉測定とＰＤＳＣＨ受信が同じサブフレームで行われるか否かを判定し、判定結果によってチャンネル状態情報生成過程を仮定するように制御する制御部を含むことを特徴とする。
【００３９】
また、本発明のまた他の実施形態による分散アンテナシステム（Ｄｉｓｔｒｉｂｕｔｅｄ  Ａｎｔｅｎｎａ  Ｓｙｓｔｅｍ、ＤＡＳ）で、基地局が端末の干渉測定をサポートする方法は、ＰＤＳＣＨ（Ｐｈｙｓｉｃａｌ  Ｄｏｗｎｌｉｎｋ  Ｓｈａｒｅｄ  Ｃｈａｎｎｅｌ）が特定ＲＢ（Ｒｅｓｏｕｒｃｅ  Ｂｌｏｃｋ）内に存在するかを判定する段階と、及びＰＤＳＣＨが存在しなければ隣り基地局からランダムに生成された干渉信号を干渉を測定することができるリソースであるＩＭＲ（Ｉｎｔｅｒｆｅｒｅｎｃｅ  Ｍｅａｓｕｒｅｍｅｎｔ  Ｒｅｓｏｕｒｃｅ）で前記端末へ送信する段階と、を含むことを特徴とする。
【００４０】
また、本発明のまた他の実施形態による分散アンテナシステム（Ｄｉｓｔｒｉｂｕｔｅｄ  Ａｎｔｅｎｎａ  Ｓｙｓｔｅｍ、ＤＡＳ）で端末の干渉測定をサポートする基地局は、  データを送信及び受信する送受信機及びＰＤＳＣＨ（Ｐｈｙｓｉｃａｌ  Ｄｏｗｎｌｉｎｋ  Ｓｈａｒｅｄ  Ｃｈａｎｎｅｌ）が特定ＲＢ（Ｒｅｓｏｕｒｃｅ  Ｂｌｏｃｋ）内に存在するかを判定し、ＰＤＳＣＨが存在しなければ隣り基地局からランダムに生成された干渉信号を干渉を測定することができるリソースであるＩＭＲ（Ｉｎｔｅｒｆｅｒｅｎｃｅ  Ｍｅａｓｕｒｅｍｅｎｔ  Ｒｅｓｏｕｒｃｅ）で前記端末へ送信するように前記送受信機を制御する制御部を含むことを特徴とする。
【００４１】
また、本発明のまた他の実施形態による分散アンテナシステム（Ｄｉｓｔｒｉｂｕｔｅｄ  Ａｎｔｅｎｎａ  Ｓｙｓｔｅｍ、ＤＡＳ）で端末の干渉測定方法は、干渉を測定することができるリソースであるＩＭＲ（Ｉｎｔｅｒｆｅｒｅｎｃｅ  Ｍｅａｓｕｒｅｍｅｎｔ  Ｒｅｓｏｕｒｃｅ）に対する設定情報を受信する段階と、前記設定情報によって前記ＩＭＲに対する干渉測定を行う段階と、及び干渉測定結果を送信する段階と、を含み、前記ＩＭＲはＰＤＳＣＨ（Ｐｈｙｓｉｃａｌ  Ｄｏｗｎｌｉｎｋ  Ｓｈａｒｅｄ  Ｃｈａｎｎｅｌ）が隣り基地局の特定ＲＢ（Ｒｅｓｏｕｒｃｅ  Ｂｌｏｃｋ）内に存在しなければ前記隣り基地局によって送信されることに予想される干渉信号を含むことを特徴とする。
【００４２】
また、本発明のまた他の実施形態による分散アンテナシステム（Ｄｉｓｔｒｉｂｕｔｅｄ  Ａｎｔｅｎｎａ  Ｓｙｓｔｅｍ、ＤＡＳ）で干渉測定のための端末は、データを送信及び受信する送受信機、及び干渉を測定することができるリソースであるＩＭＲ（Ｉｎｔｅｒｆｅｒｅｎｃｅ  Ｍｅａｓｕｒｅｍｅｎｔ  Ｒｅｓｏｕｒｃｅ）に対する設定情報を受信するように前記送受信機を制御し、前記設定情報によって前記ＩＭＲで干渉測定を行い、干渉測定結果を送信するように制御する制御部を含み、前記ＩＭＲはＰＤＳＣＨ（Ｐｈｙｓｉｃａｌ  Ｄｏｗｎｌｉｎｋ  Ｓｈａｒｅｄ  Ｃｈａｎｎｅｌ）が隣り基地局の特定ＲＢ（Ｒｅｓｏｕｒｃｅ  Ｂｌｏｃｋ）内に存在しなければ前記隣り基地局によって送信されることに予想される干渉信号を含むことを特徴とする。
【発明の効果】
【００４３】
本発明によれば、分散アンテナシステムで効率的な通信のための干渉測定が可能である。
【図面の簡単な説明】
【００４４】
【図１】ＬＴＥ／ＬＴＥ−Ａシステムで時間及び周波数リソースを示した図である。
【図２】ＬＴＥ／ＬＴＥ−Ａシステムでダウンリンクでスケジューリングできる最小単位である１サブフレーム及び１ＲＢの無線リソースを示した図である。
【図３】一般的な分散アンテナシステムでアンテナの分散された位置への配置を示した図である。
【図４】分散アンテナシステムで各アンテナグループ別で互いに異なる端末に送信を行う場合、干渉現象が発生する例を示した図である。
【図５】ＣＲＳがディレードメイン（ｄｅｌａｙ  ｄｏｍａｉｎ）信号に変換されたことを示した図である。
【図６】本発明の一実施形態による干渉測定方法を示した図である。
【図７】ＰＤＳＣＨが送信される区間及び送信されない区間で干渉測定の差を示した図である。
【図８】本発明の一実施形態によるエミュレート干渉信号を送信して干渉測定を行う過程を示した図である。
【図９】ＩＭＲを用いた干渉測定とＰＤＳＣＨ受信が同じサブフレームで行われる場合を概略的に示した図である。
【図１０】ＩＭＲを用いた干渉測定とＰＤＳＣＨ受信が同じサブフレームで行われる場合を詳しく示した図である。
【図１１】本発明の一実施形態によってＰＤＳＣＨが送信されるＲＢでは干渉測定を行われず、ＰＤＳＣＨが送信されないＲＢだけ干渉測定を行う場合を示した図である。
【図１２】本発明の第１実施形態によって干渉測定を行うに当たり基地局の動作を示すフローチャートである。
【図１３】本発明の第１実施形態によって干渉測定を行う端末の動作を示すフローチャートである。
【図１４】本発明の一実施形態による干渉測定のための基地局装置の内部構成図である。
【図１５】本発明の一実施形態による干渉測定のための端末装置の内部構成図である。
【発明を実施するための形態】
【００４５】
以下、添付された図面を参照して本発明の好ましい実施形態を詳しく説明する。この時、添付された図面で同じ構成要素は可能な同じ符号に示している事に留意すべきである。また、本発明の要旨を不明瞭にする公知機能及び構成に対する詳細な説明は省略する。
【００４６】
また、本発明の実施形態を具体的に説明するに当たり、ＯＦＤＭに基づく無線通信システム、特に３ＧＰＰ  ＥＵＴＲＡ標準を主な対象とするが、本発明の主な要旨は類似の技術的背景及びチャンネル形態を持つその他の通信システムにも本発明の範囲を大きく逸脱せず範囲で僅かの変形で適用可能であり、これは本発明の技術分野で熟練された技術的知識を有する者の判定で可能であろう。
【００４７】
前記で言及したように、分散アンテナシステムでダウンリンクの効率的なデータ伝送速度を決定するためには、端末でインターセル干渉だけではなくイントラセル干渉も測定しなければならない。これのために本発明ではミューティング（ｍｕｔｉｎｇ）またはｚｅｒｏ−ｐｏｗｅｒ  ＣＳＩ−ＲＳを活用した干渉測定方法を提案する。
【００４８】
本発明で提案する干渉測定方法は、ミューティング（ｍｕｔｉｎｇ）を用いるものである。この場合、基地局は端末に干渉を直接測定することができるリソースを通報する。即ち、各アンテナグループから送信される周波数及び時間リソースのうちで特定部分を干渉測定用リソースに割り当てて該リソースでは送信を行わないことによって端末が干渉のみを測定するようにする。
【００４９】
図６は、本発明の一実施形態による干渉測定方法を示した図である。
【００５０】
基地局は端末がチャンネル状態情報を決定するように２つの送信地点（Ｔｒａｎｓｍｉｓｓｉｏｎ  Ｐｏｉｎｔ  Ａ及びＴｒａｎｓｍｉｓｓｉｏｎ  Ｐｏｉｎｔ  Ｂ、ＴＰ  Ａ及びＴＰ  Ｂ）に対してそれぞれ一つのｎｏｎ−ｚｅｒｏ  ｐｏｗｅｒ  ＣＳＩ−ＲＳと２つのＩＭＲ（Ｉｎｔｅｒｆｅｒｅｎｃｅ  Ｍｅａｓｕｒｅｍｅｎｔ  Ｒｅｓｏｕｒｃｅ）を設定する。２つのＩＭＲのうちで一つは、前述した図２のｚｅｒｏ−ｐｏｗｅｒ  ＣＳＩ−ＲＳのうちで一つに該当する。即ち、基地局はＴＰ  Ａに対するチャンネル状態情報を測定するように図６のＣＳＩ−ＲＳ  Ａ、ＩＭＲ  Ａ１、ＩＭＲ  Ａ２を端末に設定する。端末はＣＳＩ−ＲＳ  Ａを用いてＴＰ  Ａで端末への無線チャンネルを測定してＩＭＲ  Ａ１とＩＭＲ  Ａ２を用いてＴＰ  ＡでＰＤＳＣＨを送信する時、予想される干渉を測定する。
【００５１】
ＩＭＲ  Ａ１が設定される無線リソースは、ＴＰ  ＢでＰＤＳＣＨ用と設定された無線リソースと同様である。したがって、端末がＩＭＲ  Ａ１で干渉を測定する場合、ＴＰ  Ｂで発生される干渉を含ませて測定することができる。このようにＩＭＲ  Ａ１で測定された干渉は、端末がＴＰ  ＡでＰＤＳＣＨを受信する時、ＴＰ  Ｂで干渉が発生される場合にチャンネル状態情報を生成するのに用いることができる。
【００５２】
ＩＭＲ  Ａ２が設定される無線リソースは、ＴＰ  Ｂでミューティング（ｍｕｔｉｎｇ）または  ｚｅｒｏ−ｐｏｗｅｒ  ＣＳＩ−ＲＳと設定されて無線信号が送信されない無線リソースと同様である。したがって、端末がＩＭＲ  Ａ２で干渉を測定する場合、ＴＰ  Ｂで発生される干渉が含まれないように測定することができる。このようにＩＭＲ  Ａ２で測定された干渉は、端末がＴＰ  ＡでＰＤＳＣＨを受信する時、ＴＰ  Ｂで干渉を発生されない場合にチャンネル状態情報を生成するのに用いられることができる。
【００５３】
端末はＴＰ  Ｂで発生される干渉を包含及び包含しない場合に対するチャンネル状態情報を生成することができる。基地局がＴＰ  Ｂで発生される干渉を考慮及び考慮しないチャンネル状態情報に基づいてＴＰ  Ａを通じて前記端末へＰＤＳＣＨを送信する場合、ＴＰ  Ｂを通じて他の端末でＰＤＳＣＨを送信するか否かを判定するように、このようなチャンネル状態情報は基地局に報告されることができる。ＰＤＳＣＨを  ＴＰ  Ａを通じて端末で送信する場合、二つの  ＴＰｓを通じて送信を行うのが効果的であるにもかかわらず、ＴＰ  Ａ及びＴＰ  ＢからのＰＤＳＣＨ送信は相互干渉することができる。ＴＰ  Ｂで発生される干渉を考慮及び考慮しない場合のためのチャンネル状態情報を端末から送信する理由は、ＴＰ  Ｂを通じる送信の実在／不在によるシステム動作の長所及び短所を確認するためである。
【００５４】
図６のＣＳＩ−ＲＳ  ＢとＩＭＲ  Ｂ１、ＩＭＲ  Ｂ２も同じ方法に活用される。基地局は一つのＴＰに対して複数個のＩＭＲを設定することによって多様な干渉状況に対するチャンネル状態情報を端末が生成するようにする。
【００５５】
前述したように、ＩＭＲは端末が干渉を測定するように基地局が設定した無線リソースで端末は当該無線リソースで受信されたすべての信号を干渉と仮定してチャンネル状態情報を判定する。即ち、端末は前記ＩＭＲ  Ａ１を用いて干渉を測定する場合、ＩＭＲ  Ａ１に属したＲＥで受信される信号を干渉と判定するようになる。
【００５６】
干渉測定方法で端末は一つのＣＳＩ−ＲＳ別で一つのＩＭＲが設定される。この時、端末はＣＳＩ−ＲＳを測定して基地局と端末の間の無線チャンネルを測定し、ＩＭＲを用いて干渉を測定することができる。基地局が端末のＣＳＩ−ＲＳとＩＭＲを前記図６のように設定する場合、端末は次の表１のような設定を含む制御情報を上位シグナリングで基地局から受信するようになる。
【００５７】
【表１】
2018129807.tif 000003
【００５８】
表１によれば、端末は総４つのチャンネル状態情報を基地局へ報告するように設定される。基地局は端末にそれぞれのチャンネル状態情報を設定するに当たり一つのＣＳＩ−ＲＳと一つのＩＭＲを通報する。端末はＣＳＩ−ＲＳ及びＩＭＲをそれぞれ測定して基地局から端末への無線チャンネル及び干渉を測定する。
【００５９】
前述したように、本発明で提案するＩＭＲを用いる場合、協力送信を行うネットワークで端末にＩＭＲを適切に設定することによって端末が多様な協力送信に対するチャンネル状態情報を報告するようにできる。このように１個のＴＰまたはＣＳＩ−ＲＳに対して複数個のＩＭＲを設定することは基地局が他のＴＰでＰＤＳＣＨ送信を行って干渉を発生させる場合と、ＰＤＳＣＨ送信を行わず干渉を発生させない場合などのような多様な干渉状況に対するチャンネル状態情報を得るためである。
【００６０】
多様な干渉状況に対するチャンネル状態情報が有用するためには正確な干渉測定が必須である。端末が特定ＴＰが発生する干渉を考慮したチャンネル状態情報を生成する場合には、ＩＭＲに当該ＴＰがすべての周波数区間でＰＤＳＣＨ送信を行う場合に対する干渉測定が成らなければならない。一方、端末が特定ＴＰが発生する干渉を除去したことを考慮したチャンネル状態情報を生成する場合には、ＩＭＲに当該ＴＰがすべての周波数区間でＰＤＳＣＨ送信を行わず場合に対する干渉測定が成らなければならない。
【００６１】
前述したＩＭＲを用いた干渉測定を行うために、端末が特定ＴＰが発生する干渉を測定するためには当該ＴＰがＰＤＳＣＨ送信を行わなければならないという点を前提とする。即ち、端末がＴＰ  Ｂで発生する干渉を測定するためには干渉測定の時、ＴＰ  ＢでＰＤＳＣＨ送信を行わなければならない。ＴＰ  Ｂで特定周波数の区間でＰＤＳＣＨを送信しない場合、端末はそのＰＤＳＣＨが送信されない区間で正確な干渉測定を行うことができなくなり、結果的に不正確なチャンネル状態情報を基地局に通報するようになる。
【００６２】
図７は、ＰＤＳＣＨが送信される区間及び送信されない区間で干渉測定の差を示した図である。
【００６３】
図７で端末はＴＰ  Ｂで発生する干渉を測定し、これを反映したチャンネル状態情報を生成する。図７の場合、端末はサブバンド（ｓｕｂｂａｎｄ）０とサブバンド１からなる２つの周波数区間で干渉を測定する。ここで、ＴＰ  Ｂはサブバンド０でばかりＰＤＳＣＨを送信し、サブバンド１でＰＤＳＣＨ送信を行わない。したがって、端末はサブバンド１でＴＰ  Ｂが発生する干渉を測定することができずに、結果的に不正確なチャンネル状態情報を基地局に通報する。このようなチャンネル状態情報を受信した基地局はＴＰ  Ｂが干渉を発生する場合、その影響が当該端末にどんな影響を及ぼすかに対して正確な情報を得ることができなくなり、結果的に協力送信の性能を低下させるようになる。
【００６４】
このような点を解決するために本発明の一実施形態ではＰＤＳＣＨに対応されるエミュレートされた干渉信号（ｅｍｕｌａｔｅｄ  ｉｎｔｅｒｆｅｒｅｎｃｅ  ｓｉｇｎａｌ）を用いることができる。エミュレートされた干渉信号は基地局から送信する信号として、特定周波数区間にＰＤＳＣＨが送信されなくても端末が干渉測定を行うように送信される信号である。
【００６５】
図８は、エミュレートされた干渉信号（ｅｍｕｌａｔｅｄ  ｉｎｔｅｒｆｅｒｅｎｃｅ  ｓｉｇｎａｌ）を送信して干渉測定を行う過程を示した図である。
【００６６】
図８で端末はＴＰ  Ｂで発生する干渉を測定し、これを反映したチャンネル状態情報を生成する。図８の場合、端末はサブバンド０とサブバンド１からなる２つの周波数区間で干渉を測定する。図７の場合と同様にＴＰ  Ｂはサブバンド０でばかりＰＤＳＣＨを送信してサブバンド１では  ＰＤＳＣＨを送信しない。このとき、ＴＰ  ＢはＰＤＳＣＨが送信されないサブバンド１でエミュレートされた干渉信号（ｅｍｕｌａｔｅｄ  ｉｎｔｅｒｆｅｒｅｎｃｅ  ｓｉｇｎａｌ）を送信する。このようにエミュレートされた干渉信号（ｅｍｕｌａｔｅｄ  ｉｎｔｅｒｆｅｒｅｎｃｅ  ｓｉｇｎａｌ）が送信される場合、端末はこれを測定してＴＰ  Ｂが発生する干渉を測定し、それによって正確なチャンネル状態情報を生成して基地局に通報することができる。
【００６７】
このようなエミュレートされた干渉信号は、他のＴＰのＩＭＲ設定に合わせて送信される。即ち、ＴＰ  Ａで特定ＩＭＲを割り当ててＴＰ  Ｂが発生する干渉を測定しようとする場合、ＴＰ  ＢはＴＰ  Ａの当該ＩＭＲと同じ時間及び周波数リソースでエミュレートされた干渉信号を送信する。さらに、ＴＰ  ＢではＰＤＳＣＨが送信されない場合にだけエミュレートされた干渉信号が送信される。ＰＤＳＣＨが送信される場合には端末がＰＤＳＣＨ信号を測定して干渉測定を行うことができるからである。
【００６８】
前述したようにＩＭＲを用いて干渉測定を行う場合、端末がＩＭＲで干渉測定を行う同時に同じ時間区間でＰＤＳＣＨを受信する場合、端末が生成するチャンネル状態情報が実際無線チャンネル状況をまともに反映することができずに歪曲される現象が発生して実際より発生することもできる。図９はこのような状況を示した図である。
【００６９】
図９は、ＩＭＲを用いた干渉測定とＰＤＳＣＨ受信が同じサブフレームで行われる場合を示した図面である。
【００７０】
図９で端末はＴＰ  Ａ９１０で送信したＰＤＳＣＨを受信する。ＰＤＳＣＨを受信するサブフレームで端末は同時にＴＰ  Ａ９１０とＴＰ  Ｂ９２０のチャンネル状態情報を生成するための干渉測定を行う。即ち、端末は図９のようにＴＰ  Ａ９１０から送信したＰＤＳＣＨを受信する同時に、設定されたＩＭＲを用いてＴＰ  Ｂ９２０のチャンネル状態情報のための干渉測定を行う。このような場合、端末はＰＤＳＣＨを受信する同じＲＥでＩＭＲが設定されて干渉測定を行う状況が発生することもできる。
【００７１】
図６を参照して説明する。
【００７２】
端末はＴＰ  Ａが送信したＰＤＳＣＨを受信する。図６でＴＰ  Ａで送信するＲＢの白い部分がＰＤＳＣＨ送信に用いられるＲＥに該当する。また、端末は同じサブフレームで干渉測定を行う。この時、干渉測定はＴＰ  Ｂのチャンネル状態情報を生成するためである。図６でＴＰ  Ｂで送信するＲＢのＩＭＲ  Ｂ１及びＩＭＲ  Ｂ２のＲＥが干渉測定のために用いられるＲＥである。２つのＩＭＲのうちでＩＭＲ  Ｂ１がＴＰ  ＡがＰＤＳＣＨを送信するのに用いるＲＥと重なることを分かる。即ち、端末はＴＰ  Ａで送信するＰＤＳＣＨを受信しながら同時にＴＰ  Ｂに及ぶ干渉を測定することである。この場合、端末はＴＰ  Ａで自分のために送信するＰＤＳＣＨ  ＲＥを干渉測定に用いるようになる。即ち、自分のためのデータ信号を他のＴＰのチャンネル状態情報を生成するための干渉で認識することである。
【００７３】
一般的に、特定端末のための信号は当該端末の無線チャンネルを考慮して最適化されたビームポミング（ｂｅａｍｆｏｒｍｉｎｇ）を適用することができる。端末に送信されたデータ信号にビームポミング（ｂｅａｍｆｏｒｍｉｎｇ）が適用される場合、当該信号を他のＴＰのチャンネル状態情報を生成するための干渉で測定するようになれば、実際適正な干渉より大きい干渉で測定されることができる。このように適正な干渉より大きい干渉で測定される場合、端末が生成するチャンネル状態情報が実際無線チャンネル状況をまともに反映することができなく歪曲されることができ、結果的にシステム性能劣化につながることができる。
【００７４】
図１０は、ＩＭＲを用いた干渉測定とＰＤＳＣＨ受信が同じサブフレームで行われる場合を詳しく示した図である。
【００７５】
図１０を参照すれば、端末が測定しなければならないＩＭＲは周期的に設定されたサブフレームで発生される（１０００、１０１０、１０２０）。一方、基地局のＰＤＳＣＨ送信は基地局のスケジューリング決定（ｓｃｈｅｄｕｌｉｎｇ  ｄｅｃｉｓｉｏｎ）によって不規則的に成ることができる（１０３０）。
【００７６】
周期的に発生するＩＭＲとＰＤＳＣＨ送信が同じサブフレームからなる場合、正確なチャンネル状態情報を生成するのに問題になることができる。即ち、図１０でＩＭＲ１０１０とＰＤＳＣＨ送信１０３０が同じサブフレームで発生される場合である。この場合、特定ＴＰで送信したＰＤＳＣＨを他のＴＰのチャンネル状態情報を生成するために干渉で測定する場合、問題が発生することができる。このような問題状況は次の２つの条件を満たす場合に発生することができる。
【００７７】
−条件１：サブフレームｉで端末Ａが基地局が送信したＰＤＳＣＨを受信する。
【００７８】
端末ＡはＰＤＳＣＨ受信するか否かをＰＤＣＣＨまたはｅＰＤＣＣＨに通報されるスケジューリングメッセージ（ｓｃｈｅｄｕｌｉｎｇ  ｍｅｓｓａｇｅ）を通じて判定することができる。
【００７９】
−条件２：サブフレームｉで端末ＡがＩＭＲを用いて干渉測定を行い、当該ＩＭＲに含まれたＲＥのうちで一部が条件１のＰＤＳＣＨ送信に用いられる。
【００８０】
このように図１０のように端末がＰＤＳＣＨを受信する同時にＩＭＲを用いて干渉を測定する場合、本発明では次の３つ実施形態を提案する。
【００８１】
＜第１実施形態＞
条件１と条件２を満足する状況が発生される場合、端末は当該サブフレームで干渉測定を行わない。即ち、端末はＩＭＲを用いた干渉測定とＰＤＳＣＨ受信が同じサブフレームで行われる場合、当該サブフレームで干渉測定結果を用いてチャンネル状態情報を生成せず、以前に測定した干渉を用いてチャンネル状態情報を生成することができる。この時、最近測定した干渉を用いることができる。
【００８２】
＜第２実施形態＞
条件１と条件２を満足する状況が発生される場合、端末は当該サブフレームで自分のための  ＰＤＳＣＨが送信されるＲＢでは干渉測定を行わず、ＰＤＳＣＨが送信されないＲＢだけ干渉測定を行ってチャンネル状態情報を生成する。図１１はこのような実施形態を示す図面である。
【００８３】
図１１は、ＰＤＳＣＨが送信されるＲＢでは干渉測定を行わず、ＰＤＳＣＨが送信されない  ＲＢでばかり干渉測定を行う場合を示した図である。
【００８４】
図１１を参照すれば、端末はサブバンド０でばかりＰＤＳＣＨを受信してサブバンド１ではＰＤＳＣＨを受信しない。したがって、端末はサブバンド０では干渉測定を行わず、サブバンド１でばかり干渉測定を行う。この時、端末はサブバンド０に対するチャンネル状態情報は以前サブフレームでサブバンド０に対して測定した干渉を用いて生成したり現在サブフレームでサブバンド１に対して測定した干渉を用いて生成することもできる。サブバンド１で測定した干渉を用いてサブバンド０のチャンネル状態情報を生成するためにはサブバンド１で測定した干渉を用いてサブバンド０での干渉を類推する過程が必要である。このような場合、サブバンド０での干渉がサブバンド１での干渉と同じ特性を持つと仮定してチャンネル状態情報を生成することができることである。
【００８５】
＜第３実施形態＞
条件１と条件２を満足する状況が発生される場合、端末は当該サブフレームで自分のためのＰＤＳＣＨが送信されたＲＢで測定した干渉とＰＤＳＣＨが送信されないＲＢで測定した干渉を分離して処理することができる。上述したように、端末が自分に送信されたＰＤＳＣＨを干渉で測定する場合実際状況より高い干渉が測定されることができる。これを勘案して端末はＰＤＳＣＨが送信されたＲＢで測定した干渉を一定割合の低く補正する過程を適用することができる。即ち、端末はＰＤＳＣＨが送信されたＲＢで測定した干渉に定数ＩＡＦ（Ｉｎｔｅｒｆｅｒｅｎｃｅ  Ａｄｊｕｓｔｍｅｎｔ  Ｆａｃｔｏｒ）を適用する。ＩＡＦは端末がＰＤＳＣＨが送信されたＲＢで干渉を測定した後、この値に掛けて干渉を調節する機能を行う。このようなＩＡＦは基地局が上位シグナリングを用いて端末に通知する値であるか、若しくは端末が設定された他の制御情報によって判定することもできる。端末が他の制御情報によってＩＡＦを判定する一つの方法は自分に送信されるＰＤＳＣＨのランク（ｒａｎｋ）によってＩＡＦの値を異なるようにすることになることができる。端末が他の制御情報によってＩＡＦを判定する他の方法は基地局のＣＳＩ−ＲＳポート（ｐｏｒｔ）数に応じて決定することがなることができる。ＣＳＩ−ＲＳポート数とＰＤＳＣＨのランクを全て考慮してＩＡＦ値を決定することも可能である。
【００８６】
図１２は、本発明の第１実施形態によって干渉測定を行うに当たり基地局の動作を示すフローチャートである。
【００８７】
図１２は＜第１実施形態＞が適用される場合のフローチャートであり、他の方法も同じ手順で適用されることができる。図１２で基地局は過程１２００で上位シグナリングを用いて端末のＩＭＲを設定する。以後、基地局は過程１２１０でＰＤＳＣＨスケジューリングを行う。前記ＰＤＳＣＨスケジューリングとは、複数個の端末が一つのセル内に存在する場合、どんな端末にＰＤＳＣＨ  送信を行うかを決定することである。過程１２１０で行ったＰＤＳＣＨスケジューリングの結果及び過程１２００で端末に設定したＩＭＲに基づいて過程１２２０で基地局は該当の端末が条件１と前記条件２を満足してＩＭＲを用いた干渉測定とＰＤＳＣＨ  受信が同じサブフレームで行われるか否かを判定することができる。
【００８８】
基地局は過程１２２０で端末がＩＭＲを用いた干渉測定とＰＤＳＣＨ受信を同時に行わなければならないと判定する場合、過程１２３０へ進行して当該端末が当該サブフレームで干渉測定を行わなく、以前に測定した干渉を用いてチャンネル状態情報を生成すると仮定する。基地局は過程１２２０で端末がＩＭＲを用いた干渉測定とＰＤＳＣＨ受信を同時に行わないと判定する場合、過程１２４０へ進行して該当サブフレームにＩＭＲが存在する場合、端末が当該サブフレームでＩＭＲを用いた干渉測定を行ってチャンネル状態情報を生成すると仮定する。
【００８９】
図１３は、本発明の第１実施形態によって干渉測定を行う端末の動作を示すフローチャートである。
【００９０】
図１３は、＜第１実施形態＞が適用される場合のフローチャートであり、他の方法も同じ手順で適用されることができる。図１３で端末は過程１３００で基地局からＩＭＲに係る制御情報を上位シグナリングを用いて受信する。制御情報にはどんなＩＭＲを用いて干渉測定を行うことなのかに対する情報が含まれる。その後、端末は過程１３１０でＰＤＣＣＨまたはｅＰＤＣＣＨに対する復呼化を行う。端末はＰＤＣＣＨまたはｅＰＤＣＣＨのような制御チャンネルを用いて基地局からＰＤＳＣＨ  スケジューリング情報を受信する。即ち、基地局が特定端末にＰＤＳＣＨを送信するときにはこれをＰＤＣＣＨまたはｅＰＤＣＣＨを用いて端末に通報する。これを判定するために過程１３１０のように端末はＰＤＣＣＨまたはｅＰＤＣＣＨに対する復呼化を行うことである。
【００９１】
過程１３００でＩＭＲがどんなに設定されたか可否と過程１３１０でＰＤＣＣＨまたはｅ  ＰＤＣＣＨを復呼化する過程で獲得されるＰＤＳＣＨスケジューリング情報によって端末は過程１３２０でＩＭＲを用いた干渉測定とＰＤＳＣＨ受信が同じサブフレームからなるか否かを判定することができる。即ち、端末は条件１と条件２が満足されるのか否かを判定することである。端末が過程１３２０でＩＭＲを用いた干渉測定とＰＤＳＣＨ受信が同じサブフレームからなると判定する場合、端末は過程１３３０へ進行して当該サブフレームでＩＭＲを用いた干渉測定を行わず、以前に測定した干渉を用いてチャンネル状態情報を生成する。一方、端末が過程１３２０でＩＭＲを用いた干渉測定とＰＤＳＣＨ受信が同じサブフレームからなると判定する場合、端末は過程１３４０へ進行して当該サブフレームにＩＭＲが存在する場合、ＩＭＲを用いた干渉測定を行う。
【００９２】
図１４は、本発明の一実施形態による干渉測定のための基地局装置の内部構成図である。
【００９３】
図１４で基地局の制御機１４００は端末のＩＭＲ設定、ＰＤＳＣＨスケジューリングなどを決定することができる。基地局が決定した端末のＩＭＲ設定は送信機１４１０を用いて端末に通報される。さらに、基地局のＰＤＳＣＨスケジューリング決定によってＰＤＣＣＨ／ｅＰＤＣＣＨ及びＰＤＳＣＨが送信機１４１０によって端末に送信される。基地局はＰＤＳＣＨ送信及び端末のＩＭＲ設定によるチャンネル状態情報を受信機１４２０を用いて受信する。ここで制御機１４００は基地局の全体的な動作を制御することができる。また、制御機１４００は前述した基地局でのすべての動作を制御することができる。
【００９４】
図１５は、本発明の一実施形態による干渉測定のための端末装置の内部構成図である。
【００９５】
図１５で端末機の制御機１５００は受信機１５２０を用いて基地局からＩＭＲ設定に対する制御情報を受信してどんな無線リソースを用いて干渉測定を行うかを把握することができる。また、受信機１５２０はＰＤＣＣＨ／ｅＰＤＣＣＨに対する復呼化を行ってＰＤＳＣＨがいつスケジューリングになるかを制御機１５００が判定することができるようにする。制御機１５００は設定されたＩＭＲ及びＰＤＳＣＨスケジューリングされるかによってＩＭＲを用いて干渉測定を行ってチャンネル状態情報を生成するか、それとも新しい干渉測定を行わず以前に測定した干渉を用いてチャンネル状態情報を生成するか否かを判定することができる。このように生成されたチャンネル状態情報は送信機１５１０を用いて基地局に通報される。ここで制御機  １５００は端末の全体的な動作を制御することができる。また、制御機  １５００は前述した端末でのすべての動作を制御することができる。
【００９６】
本明細書及び図面に開示された本発明の実施形態は本発明の記述内容を容易に説明し、説明の理解を助けるために特定例を提示したものであって、本発明の範囲を限定しようとするものはない。ここに開示された実施形態の以外にも本発明の技術的思想に基づいた他の変形形態が実施可能であるということは本発明が属する技術分野で通常の知識を有する者に自明なものである。
【符号の説明】
【００９７】
３２０  高出力アンテナ
３４１  低出力アンテナ
３４２  低出力アンテナ
３４３  低出力アンテナ
３４４  低出力アンテナ
１４００  制御機
１４１０  送信機
１４２０  受信機
１５００  制御機
１５１０  送信機
１５２０  受信機
【図１】
2018129807.tif 000004
【図２】
2018129807.tif 000005
【図３】
2018129807.tif 000006
【図４】
2018129807.tif 000007
【図５】
2018129807.tif 000008
【図６】
2018129807.tif 000009
【図７】
2018129807.tif 000010
【図８】
2018129807.tif 000011
【図９】
2018129807.tif 000012
【図１０】
2018129807.tif 000013
【図１１】
2018129807.tif 000014
【図１２】
2018129807.tif 000015
【図１３】
2018129807.tif 000016
【図１４】
2018129807.tif 000017
【図１５】
2018129807.tif 000018